(57)【特許請求の範囲】
【請求項１】
順方向に移送される磁気テープに映像信号を記録する磁気テープ装置において、
第１画面数のカラー映像信号を前記磁気テープに記録する第１記録手段、
前記第１記録手段の記録に続いて白黒映像信号を前記磁気テープに第１距離にわたって記録する第２記録手段、
前記第２記録手段の記録の後に前記磁気テープを前記第１距離よりも長い第２距離にわたって巻き戻す巻き戻し手段、
前記巻き戻し手段の巻き戻しの後に前記磁気テープを前記順方向に移送する移送手段、および
前記磁気テープが前記移送手段によって前記第１距離および前記第２距離の差分以上でかつ前記第２距離以下の第３距離にわたって移送されたときに前記第１記録手段を再起動する再起動手段を備えることを特徴とする、磁気テープ装置。
【請求項２】
前記白黒映像信号は直前のカラー映像信号と同じ輝度成分を有する、請求項１記載の磁気テープ装置。
【請求項３】
連続する複数画面のカラー映像信号を入力する入力手段、
前記入力手段によって入力されたカラー映像信号に画面単位の間引き処理を施す間引き手段、
前記間引き処理を施されたカラー映像信号をメモリに書き込む書き込み手段、および
前記メモリから前記第１画面数のカラー映像信号を連続的に読み出す第１読み出し手段をさらに備え、
前記第１記録手段は前記第１読み出し手段によって読み出されたカラー映像信号を前記磁気テープに記録する、請求項１記載の磁気テープ装置。
【請求項４】
前記メモリに格納されたカラー画像信号を前記第１読み出し手段による読み出しに続いて読み出す第２読み出し手段をさらに備え、
前記第２記録手段は、前記第２読み出し手段によって読み出されたカラー映像信号に基づいて白黒映像信号を生成する生成手段、および前記生成手段によって生成された白黒映像信号を前記磁気テープに記録する白黒映像記録手段を含む、請求項３記載の磁気テープ装置。
【請求項５】
前記第２読み出し手段は前記メモリの末尾部分に格納されたカラー映像信号を前記第１距離に関連する回数にわたって繰り返し読み出す、請求項４記載の磁気テープ装置。
【請求項６】
前記第１記録手段および前記第２記録手段の記録に同期してパイロット信号を前記磁気テープに記録するパイロット信号記録手段をさらに備える、請求項１ないし５のいずれかに記載の磁気テープ装置。
【請求項７】
前記磁気テープに記録されたパイロット信号を前記移送手段によって前記磁気テープを移送するときに再生するパイロット信号再生手段をさらに備え、
前記再起動手段は前記パイロット信号再生手段によって再生されたパイロット信号に基づいて前記第１記録手段の再起動タイミングを検出する、請求項６記載の磁気テープ装置。
【請求項８】
前記第２記録手段によって記録される白黒映像信号に識別信号を付加する付加手段をさらに備える、請求項１ないし７のいずれかに記載の磁気テープ装置。
【請求項９】
前記磁気テープに記録された複数画面の映像信号を再生する再生手段、
前記再生手段による再生映像信号に前記識別信号が付加されているかどうかを１画面毎に判別する第１判別手段、
前記再生手段による再生映像信号を前記第１判別手段の判別結果に応じて前記メモリに書き込む書き込み手段、
前記メモリに格納された再生映像信号を読み出す第３読み出し手段、および
前記第３読み出し手段によって読み出された再生映像信号を出力する出力手段をさらに備える、請求項８記載の磁気テープ装置。
【請求項１０】
前記書き込み手段は前記再生映像信号に前記識別信号が付加されているとき書き込みを中断する、請求項９記載の磁気テープ装置。
【請求項１１】
前記第３読み出し手段は前記メモリに格納された各画面の再生映像信号を複数回ずつ読み出す、請求項９または１０記載の磁気テープ装置。
【請求項１２】
前記メモリにおける再生映像信号の書き込み位置および読み出し位置の関係が条件を満たすかどうかを判別する第２判別手段、および
前記第３読み出し手段による各画面の再生映像信号の読み出し回数を前記第２判別手段の判別結果に応じて変更する変更手段をさらに備える、請求項１１記載の磁気テープ装置。
【請求項１３】
前記変更手段は前記書き込み位置および前記読み出し位置の間隔が閾値を下回ったときに前記読み出し回数を増加させる、請求項１２記載の磁気テープ装置。
【発明の詳細な説明】
【０００１】
【産業上の利用分野】
この発明は、磁気テープ装置に関し、特にたとえば、いわゆるつなぎ撮りによってカラー映像信号を磁気テープに記録する、磁気テープ装置に関する。
【０００２】
【従来の技術】
従来のこの種の磁気テープ装置としては、つなぎ撮りのときにつなぎ目に発生するレインボーノイズをなくすために、フライングイレース方式を採用するものがあった。この方式では、ドラムの周囲に映像録再ヘッドのほかにフライングイレースヘッド（ＦＥヘッド）が搭載され、つなぎ撮り時は、まずつなぎ目に記録されいる映像信号がＦＥヘッドによって消去され、消去の直後に新規の映像信号を映像録再ヘッドによって記録される。
【０００３】
【発明が解決しようとする課題】
しかし、このような従来技術では、ＦＥヘッドを搭載する分だけコストがかかるという問題があった。
【０００４】
それゆえに、この発明の主たる目的は、記録動作の中断および再開が繰り返されることに起因してレインボーノイズが繰り返し発生する現象をＦＥヘッドを用いることなく防止することができる、磁気テープ装置を提供することである。
【０００５】
【課題を解決するための手段】
この発明に従う磁気テープ装置は、順方向に移送される磁気テープに映像信号を記録する磁気テープ装置において、第１画面数のカラー映像信号を磁気テープに記録する第１記録手段、第１記録手段の記録に続いて白黒映像信号を磁気テープに第１距離にわたって記録する第２記録手段、第２記録手段の記録の後に磁気テープを第１距離よりも長い第２距離にわたって巻き戻す巻き戻し手段、巻き戻し手段の巻き戻しの後に磁気テープを順方向に移送する移送手段、および磁気テープが移送手段によって第１距離および第２距離の差分以上でかつ第２距離以下の第３距離にわたって移送されたときに第１記録手段を再起動する再起動手段を備えることを特徴とする。
【０００６】
【作用】
磁気テープが順方向に移送される間、まず第１記録手段が第１画面数のカラー映像信号を磁気テープに記録し、続いて、第２記録手段が白黒映像信号を磁気テープに記録する。白黒映像信号が第１距離にわたって記録されると、巻き戻し手段が、磁気テープを第１距離よりも長い第２距離にわたって巻き戻す。移送手段は、第２距離の巻き戻しの後に、磁気テープを順方向に移送する。磁気テープが第１距離および第２距離の差分以上でかつ第２距離以下の第３距離にわたって移送されると、再起動手段が第１記録手段を再起動する。再起動された第１記録手段によって記録されるカラー映像信号は、白黒映像信号に重ね書きされる。
【０００７】
この発明のある実施例では、連続する複数画面のカラー映像信号が入力手段によって入力され、入力されたカラー映像信号は、間引き手段によって画面単位の間引き処理を施される。間引き処理を施されたカラー映像信号は、書き込み手段によってメモリに書き込まれる。メモリに書き込まれた第１画面数のカラー映像信号は、その後第１読み出し手段によって連続的に読み出される。第１記録手段は、第１読み出し手段によって読み出されたカラー映像信号を磁気テープに記録する。
【０００８】
好ましくは、第２読み出し手段が、第１読み出し手段による読み出しに続いてメモリからカラー映像信号を読み出す。第２記録手段は、第２読み出し手段によって読み出されたカラー映像信号に基づいて白黒映像信号を生成し、生成された白黒映像信号を磁気テープに記録する。
【０００９】
なお、第２読み出し手段は、メモリの末尾部分に格納されたカラー映像信号を第１距離に関連する回数にわたって繰り返し読み出す方がよい。
【００１０】
この発明の他の実施例では、パイロット信号記録手段が、第１記録手段および第２記録手段の記録に同期して、パイロット信号を磁気テープに記録する。このパイロット信号は、移送手段によって磁気テープを移送するときに、パイロット信号再生手段によって磁気テープから再生される。再起動手段は、再生されたパイロット信号に基づいて第１記録手段の再起動タイミングを検出する。
【００１１】
この発明のその他の実施例では、第２記録手段によって白黒映像信号を記録するとき、付加手段が識別信号を白黒映像信号に付加する。
【００１２】
磁気テープに記録された複数画面の映像信号が再生手段によって再生されると、この再生映像信号に識別信号が付加されているかどうかが、第１判別手段によって１画面毎に判別される。書き込み手段は、再生映像信号を第１判別手段の判別結果に応じてメモリに書き込む。メモリに格納された再生映像信号は第３読み出し手段によって読み出され、読み出された再生映像信号は出力手段によって出力される。
【００１３】
書き込み手段は、好ましくは、再生映像信号に識別信号が付加されているとき書き込みを中断する。一方、第３読み出し手段は、好ましくは、メモリに格納された各画面の再生映像信号を複数回ずつ読み出す。ただし、再生映像信号の書き込み位置および読み出し位置の関係が条件を満たすかどうかが第２判別手段によって判別され、第３読み出し手段による各画面の再生映像信号の読み出し回数は、第２判別手段の判別結果に応じて変更手段によって変更される。
【００１４】
変更手段は、好ましくは、書き込み位置および読み出し位置の間隔が閾値を下回ったときに読み出し回数を増加させる。
【００１５】
【発明の効果】
この発明によれば、再起動された第１記録手段によって記録されるカラー映像信号が白黒映像信号に重ね書きされるため、重ね書き部分にレインボーノイズが発生することはない。
【００１６】
この発明の上述の目的，その他の目的，特徴および利点は、図面を参照して行う以下の実施例の詳細な説明から一層明らかとなろう。
【００１７】
【実施例】
図１を参照して、この実施例の磁気テープ装置１０は、カメラ（図示せず）から出力されたコンポジット映像信号を入力する入力端子Ｓ１を含む。記録モードでは、スイッチＳＷ１は入力端子Ｓ１側に接続され、コンポジット映像信号はスイッチＳＷ１を経てデコーダ１２に与えられる。デコーダ１２は、与えられたコンポジット映像信号にベースバンド復調，同期分離などの信号処理を施し、同期分離された垂直同期信号Ｗ−Ｖｓｙｎｃおよび水平同期信号Ｗ−ＨｓｙｎｃとＹ信号成分およびＣ信号成分を含むカラー映像信号を個別にメモリ制御回路１４に出力する。
【００１８】
メモリ制御回路１４は、デコーダ１２から出力されたカラー映像信号に３フィールド毎に１フィールドの間引き処理を施し、間引いたカラー映像信号をＳＤＲＡＭ１６に書き込む。ＳＤＲＡＭ１６は、図２に示すように、１フィールド分のカラー映像信号を格納できるメモリエリアを２００エリア有する。カラー映像信号の書き込み動作は図３に示す要領で行われ、この結果、メモリエリア１〜２００が満杯になるまでに６００フィールド期間を要する。
【００１９】
メモリ制御回路１４は、２００フィールド分のカラー映像信号が蓄積される毎にＳＤＲＡＭ１６からカラー映像信号を読み出す。読み出しはメモリエリア１から順に連続的に行う。これによって、２００フィールド分のカラー映像信号が２００フィールド期間かけて読み出される。２００フィールド分のカラー映像信号の読み出しが完了すると、メモリ制御回路１４はさらに、メモリエリア１９９および２００から１２フィールド分のカラー映像信号を繰り返し読み出す。この１２フィールド分のカラー映像信号の読み出しも、１２フィールド期間かけて行われる。つまり、ＳＤＲＡＭ１６からのカラー映像信号の読み出し動作は、図４に示す要領で行われる。
【００２０】
このように、２００フィールド分のカラー映像信号の書き込みには６００フィールド期間が必要となる一方、２１２フィールド分のカラー映像信号の読み出しは２１２フィールド期間で済む。したがって、２１２フィールド分のカラー映像信号の読み出しが完了すると、後続の２００フィールド分のカラー映像信号の書き込みが完了するまで、読み出し動作が中断される。つまり、一連の書き込み動作および読み出し動作は、図５に示すタイミングで実行される。
【００２１】
メモリ制御回路１４は、図６に示すように構成される。カラー映像信号は書込データ処理回路１４ｂに与えられ、ここで３フィールドに１フィールドの間引き処理が行われる。間引き処理は、垂直同期信号Ｗ−Ｖｓｙｎｃおよび水平同期信号Ｗ−Ｈｓｙｎｃに応答して行われ、間引かれたカラー映像信号はメモリコントローラ１４ｃに出力される。書込アドレス生成回路１４ｈは、同じ垂直同期信号Ｗ−Ｖｓｙｎｃおよび水平同期信号Ｗ−Ｈｓｙｎｃに基づいて書き込みアドレス信号を生成し、メモリコントローラ１４ｃに与える。メモリコントローラ１４ｃにはまた、図１に示すマイクロコンピュータ２０から出力された制御信号（アクセス先のメモリエリアを特定）が、Ｉ／Ｆ回路１４ｍを通して入力される。メモリコントローラ１４ｃは、書込データ処理回路１４ｂによって間引かれたカラー映像信号を、マイクロコンピュータ２０からの制御信号および書込アドレス生成回路１４ｈからの書き込みアドレス信号に従って、バースト転送によってＳＤＲＡＭ１６に書き込む。なお、記録モードが選択されている場合、ｖｂｉ読取回路１４ｆは常に不能化状態となる。
【００２２】
ＳＤＲＡＭ１６からカラー映像信号を読み出すとき、読み出し先のメモリエリアはマイクロコンピュータ２０からＩ／Ｆ回路１４ｍを通して与えられた制御信号によって特定され、読み出しアドレスは読出アドレス生成回路１４ｉからの読み出しアドレス信号によって特定される。所望の映像信号は、このような制御信号および読み出しアドレス信号に基づいて、メモリコントローラ１４ｃによってＳＤＲＡＭ１６から読み出される。読み出された映像信号は、読出データ処理回路１４ｄによる所定のデータ処理を経てエンコーダ１８に出力される。一方、ｖｂｉ出力回路１４ｇは、マイクロコンピュータ２０からの制御信号に応答して正規の波形を持つｖｂｉ信号（正規ｖｂｉ信号）または特殊な波形を持つｖｂｉ信号（特殊ｖｂｉ信号）を作成し、作成したｖｂｉ信号を挿入制御信号とともにエンコーダ１８に出力する。
【００２３】
ここで、読出アドレス生成回路１４ｉ，読出データ処理回路１４ｄおよびｖｂｉ出力回路１４ｇは、同期信号発生回路１４ｊから出力された垂直同期信号Ｒ−Ｖｓｙｎｃおよび水平同期信号Ｒ−Ｈｓｙｎｃに応答して動作する。また、同期信号発生回路１４ｊは、内部クロック発生回路１４ｋから発生された内部クロックに基づいて動作する。
【００２４】
なお、映像信号の書き込み系の処理には外部から取り込んだシステムクロック（外部クロック）も用いられ、映像信号の読み出し系の処理にも内部クロック発生回路１４ｋから出力されたシステムクロックが用いられる（内部クロック発生回路１４ｋの代わりに外部クロック入力も可能）。また、垂直同期信号Ｗ−ＶｓｙｎｃおよびＲ−Ｖｓｙｎｃは、Ｉ／Ｆ回路１４ｍを通してマイクロコンピュータ２０に出力される。
【００２５】
ｖｂｉ出力回路１４ｇは、図８に示すように構成される。垂直カウンタ１４１ｇの垂直カウント値は、水平同期信号Ｒ−Ｈｓｙｎｃに応答してインクリメントされ、垂直同期信号Ｒ−Ｖｓｙｎｃに応答してリセットされる。デコーダ１４３ｇは垂直カウント値を取り込み、垂直カウント値がたとえば“１７”〜“２３”の値を示す期間にハイレベルの挿入制御信号を出力する。このため、挿入制御信号は、各フィールドの第１７ライン〜第２３ラインの期間にハイレベルとなる。
【００２６】
一方、水平カウンタ１４２ｇの水平カウント値は、内部クロックに応答してインクリメントされ、水平同期信号Ｒ−Ｈｓｙｎｃに応答してリセットされる。水平カウント値は、ｖｂｉ信号作成回路１４４ｇに与えられる。ｖｂｉ信号作成回路１４４ｇは、マイクロコンピュータ２０から正規ｖｂｉ作成命令が与えられたとき、水平カウント値に応答して正規ｖｂｉ信号を作成する。マイクロコンピュータ２０から特殊ｖｂｉ作成命令が与えられたときは、水平カウント値に応答して特殊ｖｂｉ信号を作成する。なお、マイクロコンピュータ２０は、連続する２１２フィールド期間のうち、最初の２００フィールド期間に正規ｖｂｉ作成命令を発生し、残りの１２フィールド期間に特殊ｖｂｉ作成命令を発生する。
【００２７】
エンコーダ１８には、ｖｂｉ信号，挿入制御信号および（カラー）映像信号のほか、垂直同期信号Ｒ−Ｖｓｙｎｃおよび水平同期信号Ｒ−Ｈｓｙｎｃも入力される。エンコーダ１８は、ｖｂｉ信号を挿入制御信号に従ってカラー映像信号の所定位置（第１７ライン〜第２３ライン）に挿入し、ｖｂｉ信号が挿入されたカラー映像信号に各同期信号Ｒ−ＶｓｙｎｃおよびＲ−Ｈｓｙｎｃを付加する。エンコーダ１８はさらに、ｖｂｉ信号ならびに同期信号Ｒ−ＶｓｙｎｃおよびＲ−Ｈｓｙｎｃが付加されたカラー映像信号に周波数変換処理を施してエンコード映像信号を生成し、生成したエンコード映像信号を出力する。
【００２８】
ただし、連続する２１２フィールド分の映像信号のうち、最初の２００フィールドではマイクロコンピュータ２０からカラー処理命令が与えられ、残りの１２フィールドではマイクロコンピュータ２０から白黒処理命令が与えられる。エンコーダ１８は、カラー処理命令が与えられたときＹ信号およびＣ信号の両方に周波数変換処理を施してエンコード映像信号を生成し、白黒処理命令が与えられたときＹ信号にのみ周波数変換処理を施してエンコード映像信号を生成する。このため、最初の２００フィールドで生成されるエンコード映像信号はカラー映像信号であり、残りの１２フイールドにおいて生成されるエンコード映像信号は白黒映像信号である。なお、ｖｂｉ信号はＹ信号側に付加され、カラー映像信号には正規ｖｂｉ信号が、白黒映像信号には特殊ｖｂｉ信号が含まれる。
【００２９】
スイッチＳＷ２は、記録モードにおいて常にスイッチＳＷ３側に接続され、スイッチＳＷ３は、サーボ回路２８から出力されたＲＦＳＷによって切り換えらる。このため、エンコーダ１８から出力されたエンコード映像信号は、１フィールド期間毎に交互にアンプ２２ａおよび２２ｂに与えられる。アンプ２２ａおよび２２ｂによって増幅されたエンコード映像信号は、ドラム２４に設けられた映像録再ヘッド２６ａおよび２６ｂによって磁気テープ４０に記録される。さらに、ＣＴＬ信号のようなパイロット信号がエンコード映像信号に同期してＣＴＬ信号発生回路３４から発生され、ＣＴＬヘッド３６によって磁気テープ４０に記録される。
【００３０】
ここで、ドラム２４は、サーボ回路２８によって速度および位相が制御されるドラムモータ２９によって回転し、磁気テープ４０はサーボ回路３０によって速度および位相が制御されるキャプスタンモータ３２によって順方向に移送される。また、ＣＴＬ信号発生回路３４は、サーボ回路２８からの制御信号に応答して、各フレームの先頭でＣＴＬ信号を発生する。この結果、２１２フィールド分のエンコード映像信号は、ヘリカルスキャン方式で磁気テープ４０に記録され、ＣＴＬ信号は、磁気テープ４０の幅方向の一端に１フレームに１回の割合で記録される。
【００３１】
なお、磁気テープ４０に記録されたＣＴＬ信号は、再生時にＣＴＬヘッド３６からＣＴＬ信号検出回路３８に与えられ、このＣＴＬ信号検出回路３８によって検出される。
【００３２】
２１２フィールド分の映像信号が磁気テープ４０に記録されると、次の２００フィールド分のカラー映像信号がＳＤＲＡＭ１６に蓄積されるまで空き時間が形成される。このとき、記録された２１２フィールドのうち末尾の１２フィールドに重ね書きを行うために、磁気テープが３２フィールドに相当する距離だけ巻き戻され、一時的に停止される。つまり、図９に示すように、２１２フィールド分の記録が完了した時点で磁気テープ４０の走行が停止し、その後、磁気テープ４０は３２フィールドに相当する距離だけ巻き戻され、停止する。後続の１９０フィールド程度の映像信号がＳＤＲＡＭ１６に蓄積されると、磁気テープ４０の順方向への移送が再開される。ＳＤＲＡＭ１６からの読み出し動作は、メモリエリアが満杯となった時点で開始される。このため、キャプスタンモータ３６による磁気テープ４０の移送が再開されてから２０フィールド期間は擬似再生となり、その後、ＳＤＲＡＭ１６から読み出された映像信号に対応するエンコード映像信号の記録が開始される。
【００３３】
つまり、記録処理は、３２フィールドに相当する距離にわたって巻き戻された磁気テープ４０が２０フィールド程度擬似再生された後に再開される。このため、記録済みの２１２フィールドのうち、末尾部分の１２フィールドが重ね書き部分となる。この重ね書き部分には白黒映像しか記録されていないため、重ね書きに先立って消去動作を行わなくても、再生時にレインボーノイズが発生することはない。なお、２０フィールドを超える距離にわたる擬似再生の後に記録が開始されたときは、つなぎ目に白黒映像信号が残ってしまう。再生モードでは、この白黒映像信号がモニタに出力されないよう、以下に述べるような処理が行われる。
【００３４】
再生モードが設定されると、上述と同様に、磁気テープ４０がキャプスタンモータ３２によって順方向に移送され、ドラム２４がドラムモータ２９によって回転される。磁気テープ４０に記録されたエンコード映像信号は、映像録再ヘッド２６ａおよび２６ｂによって再生される。ここで、ドラムモータ２９およびキャプスタンモータ３２の回転は、磁気テープ４０が２００トラックに相当する距離移送される毎に中断される。つまり、磁気テープ４０に記録されたエンコード映像信号は、２００トラック毎に間欠的に再生される。
【００３５】
映像録再ヘッド２６ａおよび２６ｂによって再生されたエンコード映像信号は、アンプ２２ｃまたは２２ｄに１フィールド毎に交互に入力される。スイッチＳＷ４は、サーボ回路２８から出力されたＲＦＳＷに応答して１フィールド毎に交互にアンプ２２ｃまたは２２ｄを選択する。このため、スイッチＳＷ４からは、複数フィールドのエンコード映像信号が連続的に出力される。
【００３６】
スイッチＳＷ１は再生モードにおいてスイッチＳＷ４側に接続され、スイッチＳＷ４から出力されたエンコード映像信号はスイッチＳＷ１を経てデコーダ１２に入力される。デコーダ１２は、上述と同様にベースバンド復調，同期分離などの信号処理を施し、同期分離された垂直同期信号Ｗ−Ｖｓｙｎｃおよび水平同期信号Ｗ−Ｈｓｙｎｃとカラー映像信号（または白黒映像信号）とを個別にメモリ制御回路１４に出力する。
【００３７】
メモリ制御回路１４は、デコーダ１２から出力された各フィールドの映像信号カラー映像信号であるか白黒映像信号であるかを、映像信号に付加されたｖｂｉ信号に基づいて判別する。つまり、ｖｂｉ信号が正規ｖｂｉ信号であればカラー映像信号と判別し、ｖｂｉ信号が特殊ｖｂｉ信号であれば白黒映像信号と判別する。そして、このような判別結果に応じて、カラー映像信号のみをＳＤＲＡＭ１６に書き込む。なお、再生モードでは、ＳＤＲＡＭ１６への書き込み時に間引き処理を行うことはなく、各フィールドのカラー映像信号は連続してＳＤＲＡＭ１６に書き込まれる。
【００３８】
ＳＤＲＡＭ１６に格納されたカラー映像信号は、その後同じメモリ制御回路１４によって３回ずつ読み出される。つまり、記録時に３フィールドに１フィールドの間引き処理が行われているため、再生時は、各フィールドのカラー映像信号が３回ずつ読み出される。ただし、デコーダ１２の出力に白黒映像信号が頻繁に含まれる場合、読み出しエリアと書き込みエリアの間隔が徐々に小さくなり、最終的に読み出しエリアが書き込みエリアに追いついてしまう可能性がある。このような問題点を考慮して、メモリ制御回路１４は、読み出しエリアと書き込みエリアの間隔が所定値を下回ったとき、各フィールドのカラー映像信号を４回以上読み出す。読み出しエリアの更新に余分に時間がかかった結果、各アドレスの間隔が所定値以上となると、メモリ制御回路１４はカラー映像信号の読み出し回数を３回に戻す。このようにして、書き込みアドレスと読み出しアドレスの間隔が、常に所定値以上に維持される。
【００３９】
図６を参照して、メモリ制御回路１４は、詳しくは次のように動作する。デコーダ１２から出力されたカラー映像信号または白黒映像信号は、書込データ処理回路１４ｂを経てメモリコントローラ１４ｃに与えられる。再生モードでは、書込データ処理回路１４ｂは間引き処理を行わず、全フィールドの映像信号がメモリコントローラ１４ｃに入力される。デコーダ１２から出力された映像信号は、ｖｂｉ読取回路１４ｆにも入力される。ｖｂｉ読取回路１４ｆは、映像信号に付加されたｖｂｉ信号が正規ｖｂｉ信号および特殊ｖｂｉ信号のいずれであるかを判別し、判別結果に対応する制御信号をメモリコントローラ１４ｃに出力する。つまり、付加されたｖｂｉ信号が正規ｖｂｉ信号であればハイレベルの制御信号を出力し、付加されたｖｂｉ信号が特殊ｖｂｉ信号であればローレベルの制御信号を出力する。なお、この制御信号は、Ｉ／Ｆ回路１４ｍを通してマイクロコンピュータ２０にも出力される。
【００４０】
メモリコントローラ１４は、ｖｂｉ読取回路１４ｆからハイレベルの制御信号が与えられたときだけ、映像信号をＳＤＲＡＭ１６に書き込む。書き込み先のメモリエリアはマイクロコンピュータ２０からＩ／Ｆ回路１４ｍを通して与えられた制御信号によって特定し、書き込みアドレスは書き込みアドレス生成回路１４ｈからのからのアドレス信号によって特定する。正規ｖｂｉ信号はカラーのエンコード映像信号に付加されており、特殊ｖｂｉ信号は白黒のエンコード映像信号に付加されているため、ＳＤＲＡＭ１６の各メモリエリア１〜２００にはカラー映像信号のみが書き込まれる。
【００４１】
ＳＤＲＡＭ１６からカラー映像信号を読み出すときも、メモリコントローラ１４ｍは、マイクロコンピュータ２０からの制御信号によって読み出し先のメモリエリアを特定し、読み出しアドレス生成回路１４ｉからの読み出しアドレス信号によって読み出し先のアドレスを特定する。ここで、マイクロコンピュータ２０は、３フィールド期間にわたって同じ制御信号をメモリコントローラ１４ｃに与え、これによって、各々のメモリエリアから同じカラー映像信号が３回ずつ読み出される。なお、読み出しエリアと書き込みエリアの間隔が所定値を下回ると、マイクロコンピュータ２０は４フィールド目も同じ制御信号を発生し、これによって、同じカラー映像信号が４回以上読み出される。
【００４２】
読み出されたカラー映像信号は、読出データ処理回路１４ｄによって所定の処理を施された後、同期信号発生回路１４ｊから発生された垂直同期信号Ｒ−Ｖｓｙｎｃおよび水平同期信号Ｒ−Ｈｓｙｎｃとともに、図１に示すエンコーダ１８に出力される。なお、ｖｂｉ出力回路１４ｇは、再生モードにおいて不能化される。
【００４３】
ｖｂｉ読取回路１４ｆは具体的には図７に示すように構成される。垂直カウンタ１４１ｆは、エンコード映像信号から分離された垂直同期信号Ｗ−Ｖｓｙｎｃによってリセットされ、同じエンコード映像信号から分離された水平同期信号Ｗ−Ｈｓｙｎｃによってインクリメントされる。デコーダ１４２ｆは、垂直カウンタ１４１ｆのカウント値を取り込み、各フィールドの第１７ライン〜第２３ラインの期間に判別回路１４３ｆを能動化する。判別回路１４３ｆは、映像信号の第１７ライン〜第２３ラインに付加されたｖｂｉ信号を抽出し、これが正規ｖｂｉ信号であるか特殊ｖｂｉ信号であるかを判別する。判別結果は、書込オン／オフ制御回路１４４ｆに与えられる。書込オン／オフ制御回路１４４ｆは、映像信号に付加されたｖｂｉ信号が正規ｖｂｉ信号であるときハイレベルの制御信号を１フィールド期間にわたって出力し、映像信号に付加されたｖｂｉ信号が特殊ｖｂｉ信号であるときローレベルの制御信号を１フィールド期間にわたって出力する。
【００４４】
図１に戻って、エンコーダ１８は、再生モードが選択されているとき、メモリ制御回路１４から与えられたカラー映像信号，垂直同期信号Ｒ−Ｖｓｙｎｃおよび水平同期信号Ｒ−Ｈｓｙｎｃに基づいて、コンポジット映像信号を生成する。スイッチＳＷ２は再生モードにおいて端子Ｓ２側に接続され、生成されたコンポジット映像信号は、端子Ｓ２を介してモニタ（図示せず）に出力される。この結果、再生映像がモニタ画面に表示される。
【００４５】
マイクロコンピュータ１６は、記録モードが選択されたとき図１０〜図１３に示すフロー図を処理し、再生モードが選択されたとき図１４および図１５に示すフロー図を処理する。
【００４６】
記録モードが選択されると、まずステップＳ１でスイッチＳＷ１を端子Ｓ１側に接続し、ステップＳ３でスイッチＳＷ２をスイッチＳＷ３側に接続する。マイクロコンピュータ２０は次に、ステップＳ５で書き込み先のメモリエリアを指定するカウンタＷＣ、および垂直同期信号Ｗ−ＶｓｙｎｃをカウントするカウンタＶＣを“１”に設定する。さらに、ステップＳ７で垂直同期信号Ｗ−Ｖｓｙｎｃが入力されたかどうか判断し、ＮＯであればステップＳ７の処理を繰り返すが、ＹＥＳであればステップＳ９に進む。
【００４７】
ステップＳ９ではカウンタＶＣをインクリメントし、続くステップＳ１１ではカウンタＶＣのカウント値を判別する。そして、カウンタＶＣが“３”の倍数以外の値を示せばそのままステップＳ７戻るが、カウンタＶＣが“３”の倍数を示すときはステップＳ１３に進み、カウンタＷＣのカウント値に対応するメモリエリアへの映像信号の書き込みをメモリ制御回路１４に命令する。マイクロコンピュータ２０はその後、ステップＳ１７でカウンタＷＣのカウント値を判別し、カウント値が“２００”以下であればステップＳ７に戻る。この結果、ステップＳ７〜Ｓ１７の処理が繰り返され、映像信号が３フィールドに１フィールドの割合で（つまり図３に示す要領で）ＳＤＲＡＭ１６のメモリエリア１〜２００に書き込まれていく。
【００４８】
カウンタＷＣのカウント値が“２００”を上回ると、マイクロコンピュータ１６はステップＳ１７からステップＳ１９に進み、キャプスタンモータ３０を起動する。さらに、ステップＳ２１でエンコーダ１８にカラー処理命令を与え、ステップＳ２３でｖｂｉ出力回路１４ｇに正規ｖｂｉ信号の出力命令を与え、ステップＳ２５でカウンタＶＣ，ＷＣ，ＲＣおよびＭＣに“１”を設定する。ここで、カウンタＲＣは読み出し先のメモリエリアを指定するカウンタであり、カウンタＭＣは白黒画像の記録フィールド数をカウントするカウンタである。
【００４９】
マイクロコンピュータ２０は続いて、ステップＳ２７およびＳ４１のそれぞれで垂直同期信号Ｗ−ＶｓｙｎｃおよびＲ−Ｖｓｙｎｃの入力の有無を判別する。垂直同期信号Ｗ−Ｖｓｙｎｃが入力された場合、ステップＳ２９でカウンタＶＣをインクリメントし、ステップＳ３１でカウンタＶＣが“３”の倍数を示すかどうか判断する。そして、ＮＯであればそのままステップＳ２７に戻るが、ＹＥＳであれば、ステップＳ３３でカウンタＷＣのカウント値に対応するメモリエリアへの映像信号の書き込みをメモリ制御回路１４に命令する。その後、ステップＳ３５でカウンタＷＣをインクリメントし、ステップＳ２３でカウンタＷＣのカウント値が“１９３”を超えたかどうか判断する。そして、ＮＯであればステップＳ２７に戻る。以上のステップＳ２７〜Ｓ３７の処理によって、後続の入力映像信号が３フィールド毎にメモリエリア１〜１９３に書き込まれる。
【００５０】
垂直同期信号Ｒ−Ｖｓｙｎｃが入力されると、マイクロコンピュータ２０はステップＳ４１からステップＳ４３に進み、このステップでフラグＦがセットされているかどうかを判断する。このフラグＦのセット状態は２１２フィールド分の読み出し（記録）が完了していることを示し、セット状態のときはステップＳ２７に戻る。一方、フラグＦがリセット状態であれば、ステップＳ４５でカウンタＲＣのカウント値が“２００”を超えたかどうか判断する。そして、ＮＯの場合は、ステップＳ４７でカウンタＲＣのカウント値に対応するメモリエリアからの映像信号の読み出しをメモリ制御回路１４に命令し、ステップＳ４９でカウンタＲＣをインクリメントし、その後ステップＳ２７に戻る。
【００５１】
このようなステップＳ４１〜Ｓ４９の処理によって、ＳＤＲＡＭ１６のメモリエリア１〜２００カラー映像信号が読み出される。読み出された映像信号はエンコーダ１８に与えられ、ＹＣ成分および正規ｖｂｉ信号を含むエンコード映像信号に変換される。変換されたエンコード映像信号は、その後、移送中の磁気テープ４０に映像録再ヘッド２６ａおよび２６ｂによって記録される。
【００５２】
カウンタＲＣのカウント値が“２００”を超えると、マイクロコンピュータ２０はステップＳ４５でＹＥＳと判断し、ステップＳ５１でエンコーダ１８に白黒処理を命令するとともに、ステップＳ５３でｖｂｉ出力回路１４ｇに特殊ｖｂｉ信号の出力を命令する。続くステップＳ５５ではカウンタＭＣが“１２”を超えたかどうか判断し、ＮＯであればステップＳ６３でカウンタＭＣの値が奇数であるか偶数であるか判断する。そして、カウンタＭＣの値が奇数であれば、ステップＳ６５でメモリエリア１９９からの読み出しをメモリ制御回路１４に命令し、カウンタＭＣの値が偶数であれば、ステップＳ６７でメモリエリア２００からの読み出しをメモリ制御回路１４に命令する。ステップＳ６５またはＳ６７の処理を終えると、マイクロコンピュータ２０はステップＳ６９でカウンタＭＣをインクリメントし、ステップＳ２７に戻る。
【００５３】
カウンタＭＣが“１２”を超えると、マイクロコンピュータ２０はステップＳ５５からステップＳ５７に進み、キャプスタンモータ３２を逆方向に回転させて磁気テープ４０を３２フィールドに相当する距離だけ巻き戻す。巻き戻しが完了すると、ステップＳ５９でキャプスタンモータ３２を停止させ、ステップＳ６１でフラグＦをセットし、その後ステップＳ２７に戻る。
【００５４】
以上のステップＳ５１〜Ｓ６９の処理によって、メモリエリア１９９〜２００に書き込まれた映像信号が１２フィールド期間かけて交互に読み出される。読み出された１２フィールド分の映像信号はエンコーダ１８に与えられ、Ｃ成分が除去されたエンコード映像信号が生成される。このエンコード映像信号には特殊ｖｂｉ信号が付加され、このようなエンコード映像信号（白黒映像信号）が磁気テープ４０に記録される。この１２フィールド分のエンコード映像信号の記録が完了すると、磁気テープ４０は３２フィールドに相当する距離だけ巻き戻され、さらにフラグＦがセットされる。なお、図５から分かるように、２１２フィールド分の映像信号の読み出しに要する期間は、２００フィールド分の映像信号の書き込みに要する期間よりも短く、カウンタＷＣのカウント値はフラグＦがセットされた後に“１９３”を超える。
【００５５】
カウンタＷＣが“１９３”を超える値をとると、マイクロコンピュータ１６はステップＳ３７でＹＥＳと判断し、ステップＳ３９でフラグＦをリセットする。続くステップＳ７１では、巻き戻されたフィールド数“３２”をカウンタＤＣに設定する。その後、ステップＳ７３でキャプスタンモータ３２を起動して磁気テープ４０を順方向に移送し、ステップＳ７５およびＳ８７で垂直同期信号Ｗ−ＶｓｙｎｃおよびＣＴＬ信号の入力の有無をそれぞれ判断する。
【００５６】
垂直同期信号Ｗ−Ｖｓｙｎｃが入力されたときはステップＳ７７に進み、カウンタＷＣの示す値が“２００”を超えたかどうか判断する。そして、ＹＥＳであればステップＳ７５に戻るが、ＮＯであればステップＳ７９でカウンタＶＣをインクリメントし、ステップＳ８１でカウンタＶＣの値が“３”の倍数であるかどうか判断する。ここで、カウンタＶＣが“３”の倍数を示さなければそのままステップＳ７５に戻るが、カウンタＶＣが“３”の倍数を示せば、ステップＳ８３でカウンタＷＣの値に対応するメモリエリアへの書き込みをメモリ制御回路１４に命令し、ステップＳ８５でカウンタＷＣをインクリメントし、そしてステップＳ７５に戻る。つまり、カウンタＷＣのカウント値が“２００”を超えるまで、映像信号が３フィールド毎にメモリエリアに書き込まれていく。
【００５７】
ＣＴＬ信号が入力されると、マイクロコンピュータ２０はステップＳ８７でＹＥＳと判断し、ステップＳ８９でカウンタＤＣのカウント値を“２”減じる。続くステップＳ９１では、カウンタＤＣの値が“１２”以下であるかどうか判断し、ＮＯであればステップＳ７５に戻るが、ＹＥＳであればステップＳ９３でカウンタＷＣの値が“２００”を超えたかどうか判断する。そして、ＮＯであればステップＳ７５に戻り、ＹＥＳであればステップＳ２１に戻る。
【００５８】
このように、カウンタＷＣの値が“１９３”を超えるとキャプスタンモータ３２が起動され、磁気テープ４０が順方向に走行し始める。これ以降も、ＳＤＲＡＭ１６への映像信号の書き込みは継続されるが、これと並行して磁気テープ４０からＣＴＬ信号が検出され、検出されたＣＴＬ信号に応答してカウンタＤＣが“２”ずつ減じられる。カウンタＤＣの値が“１２”以下の値を示すとき、映像録再ヘッド２６ａおよび２６ｂは白黒映像が記録されたトラック上にある。この状態でカウンタＷＣの値が“２００”を超えると、ＳＤＲＡＭ１６からの映像信号の読み出しが再開され、対応するエンコード映像信号が磁気テープ４０に記録される。このとき記録されるエンコード映像信号は、正規ｖｂｉ信号が付加されたカラー映像信号である。
【００５９】
再生モードが選択されると、マイクロコンピュータ２０は、図１４に示すステップＳ１０１でスイッチＳＷ１をスイッチＳＷ４側に接続し、ステップＳ１０３でスイッチＳＷ２を端子Ｓ２側に接続する。続いて、ステップＳ１０５でカウンタＷＣに“１”を設定し、ステップＳ１０７でキャプスタンモータ３２およびドラムモータ２９を起動する。磁気テープ４０はキャプスタンモータ３２によって順方向に移送され、磁気テープ４０に記録されたエンコード映像信号は映像録再ヘッド２６ａおよび２６ｂによって再生される。
【００６０】
ステップＳ１０９では、垂直同期信号Ｗ−Ｖｓｙｎｃの入力の有無を判別し、入力がなければステップＳ１０９の処理を繰り返す。入力があれば、ｖｂｉ読取回路１４ｆから出力された制御信号をステップＳ１１１で取り込み、ステップＳ１１３でこの制御信号のレベルを判別する。そして、ローレベルであれば現フィールドの映像信号は白黒映像信号であるとみなしてそのままステップＳ１０９に戻るが、ハイレベルであれば現フィールドの映像信号はカラー映像信号であるとみなしてステップＳ１１５に進む。ステップＳ１１５では、カウンタＷＣが示すカウント値に対応するメモリエリアへの映像信号の書き込みをメモリ制御回路１４に命令する。マイクロコンピュータ２０はその後、ステップＳ１１７でカウンタＷＣをインクリメントし、ステップＳ１１９でカウンタＷＣのカウント値を“１５０”と比較する。そして、ＷＣ≦１５０であればステップＳ１０９に戻る。
【００６１】
以上のステップＳ１０９〜Ｓ１１９の処理によって、カラー映像信号のみが、ＳＤＲＡＭ１６のメモリエリア１〜１５０に順次書き込まれていく。
【００６２】
ステップＳ１１９でＷＣ＞１５０と判断されると、マイクロコンピュータ２０はステップＳ１２１に進み、カウンタＲＣに“１”を設定するとともに、カウンタＫＣに“３”を設定する。カウンタＫＣは各メモリエリアからの映像信号の読み出し回数をカウントするためのカウンタである。マイクロコンピュータ２０は続いて、垂直同期信号Ｗ−Ｖｓｙｎｃの入力の有無をステップＳ１２３で判別し、垂直同期信号Ｒ−Ｖｓｙｎｃの入力の有無をステップＳ１３９で判別する。
【００６３】
垂直同期信号Ｗ−Ｖｓｙｎｃが入力されると、マイクロコンピュータ２０はステップＳ１２３からステップＳ１２５に進み、制御信号をｖｂｉ読取回路１４ｆから取り込む。そして、ステップＳ１２７で制御信号のレベルを判別する。ここで、制御信号がローレベルであればそのままステップＳ１２３に戻るが、制御信号がハイレベルであればステップＳ１２９に進む。ステップＳ１２９では、カウンタＷＣが示す値に対応するメモリエリアへのカラー映像信号の書き込みをメモリ制御回路１４に命令する。その後、ステップＳ１３１でカウンタＷＣをインクリメントし、ステップＳ１３３でカウンタＷＣの現カウント値を“２００”と比較する。そして、ＷＣ≦２００であればそのままステップＳ１２３に戻るが、ＷＣ＞２００であれば、ステップＳ１３５でキャプスタンモータ３２を停止し、ステップＳ１３７でカウンタＷＣに“１”を設定してから、ステップＳ１２３に戻る。
【００６４】
以上のステップＳ１２３〜Ｓ１３７の処理によって、カラー映像信号がＳＤＲＡＭ１６のメモリエリア１５１〜２００に書き込まれ、メモリエリア２００への書き込みが完了した後に、磁気テープ４０の移送およびエンコード映像信号の再生が中止される。さらに、次回の書き込み処理を考慮して、カウンタＷＣに“１”が設定される。
【００６５】
垂直同期信号Ｒ−Ｖｓｙｎｃが入力されると、マイクロコンピュータ２０はステップＳ１３９からステップＳ１４１に進み、カウンタＲＣのカウント値に対応するメモリエリアからの映像信号の読み出しをメモリ制御回路１４に命令する。続いて、ステップＳ１４３でカウンタＫＣをディクリメントし、ステップＳ１４５でカウンタＫＣの値が“０”を示しているかどうか判断する。そして、ＫＣ＞０であればそのままステップＳ１２３に戻るが、ＫＣ＝０であればステップＳ１４７に進む。ステップＳ１４７では、現書き込み先メモリエリアから現読み出し先メモリエリアまでの距離、つまり両メモリエリアの間に存在するメモリエリア数を“５０”と比較する。そして、メモリエリア数が“５０”未満であれば、ステップＳ１４９におけるカウンタＫＣのインクリメント処理を経てステップＳ１２３に戻る。
【００６６】
一方、上記のメモリエリア数が“５０”以上であれば、ステップＳ１５１でカウンタＲＣをインクリメントし、ステップＳ１５３でカウンタＲＣの値を“１５０”と比較する。そして、ＲＣ≦１５０であれば、ステップＳ１５９でカウンタＲＣに“３”を設定してからステップＳ１２３に戻るが、ＲＣ＞１５０であれば、ステップＳ１５５でキャプスタンモータ３２およびドラムモータ２９を起動する。その後、ステップＳ１５７でカウンタＲＣの値を“２００”と比較し、ＲＣ≦２００であればステップＳ１５９の処理を経てステップＳ１２３に戻り、ＲＣ＞２００であればそのままステップＳ１２１に戻る。
【００６７】
以上のステップＳ１３９〜Ｓ１５９の処理によって、書き込み先メモリエリアから読み出し先メモリエリアまでのメモリエリア数が“５０”を下回らない限り、各メモリエリアから３回ずつ映像信号が読み出される。書き込み先メモリエリアと読み出し先メモリエリアの間のメモリエリア数が“５０”を下回ったときは、このメモリエリア数が“５０”を超えるまで、同じメモリエリアからの映像信号の読み出しが継続される。つまり、同じ映像信号が４回以上読み出される。再生されたエンコード映像信号に白黒映像信号が頻繁に含まれれば、書き込み先メモリエリアと読み出し先メモリエリアとの間の距離が徐々に小さくなり、最終的に書き込み先メモリエリアが読み出し先メモリエリアに追いついてしまう。この実施例では、このような事態を防止するために、各メモリエリアの間隔が所定値を下回ったときにカウンタＫＣをインクリメントし、同じ映像信号を４回以上読み出すようにしている。
【００６８】
また、キャプスタンモータ３２およびドラムモータ２９は、カウンタＫＣの値が“１５０”を超えたときに起動される。これによってエンコード映像信号の再生が再開され、カラー映像信号のみが、上述のステップＳ１２３以降の処理によってメモリエリア１から順に書き込まれていく。さらに、カウンタＲＣの値が“２００”を超えると、カウンタＲＣに再度“１”が設定され、この結果、読み出しが再度メモリエリア１から順に行われることとなる。
【図面の簡単な説明】
【図１】この発明の一実施例の構成を示すブロック図である。
【図２】ＳＤＲＡＭのメモリマッピングを示す図解図である。
【図３】ＳＤＲＡＭへの書き込み動作を示すタイミング図である。
【図４】ＳＤＲＡＭからの読み出し動作を示すタイミング図である。
【図５】ＳＤＲＡＭへの書き込みおよびＳＤＲＡＭからの読み出しのタイミングを示すタイミング図である。
【図６】メモリ制御回路の構成を示すブロック図である。
【図７】ｖｂｉ読取回路の構成を示すブロック図である。
【図８】ｖｂｉ出力回路の構成を示すブロック図である。
【図９】図１実施例の動作の一部を示す図解図である。
【図１０】マイクロコンピュータの処理動作の一部を示すフロー図である。
【図１１】マイクロコンピュータの処理動作の他の一部を示すフロー図である。
【図１２】マイクロコンピュータの処理動作のその他の一部を示すフロー図である。
【図１３】マイクロコンピュータの処理動作のさらにその他の一部を示すフロー図である。
【図１４】マイクロコンピュータの処理動作の他の一部を示すフロー図である。
【図１５】マイクロコンピュータの処理動作のその他の一部を示すフロー図である。
【符号の説明】
１０…映像記録再生装置
１２…デコーダ
１４…メモリ制御回路
１６…ＳＤＲＡＭ
１８…エンコーダ
２０…マイクロコンピュータ
２６ａ，２６ｂ…映像録再ヘッド
３２…キャプスタンモータ
３６…ＣＴＬヘッド
４０…磁気テープ
【図１】
0003723397.tif 000002
【図２】
0003723397.tif 000003
【図３】
0003723397.tif 000004
【図４】
0003723397.tif 000005
【図５】
0003723397.tif 000006
【図６】
0003723397.tif 000007
【図７】
0003723397.tif 000008
【図８】
0003723397.tif 000009
【図９】
0003723397.tif 000010
【図１０】
0003723397.tif 000011
【図１１】
0003723397.tif 000012
【図１２】
0003723397.tif 000013
【図１３】
0003723397.tif 000014
【図１４】
0003723397.tif 000015
【図１５】
0003723397.tif 000016